(57)【要約】      （修正有）【課題】肩紐を有した女性用下着のブラジャーやスリップ等の肩紐が着衣中に滑り動きや肩から滑り落ちるのを防止し快適に着衣でき、しかも袖の無いノースリーブ等を着衣した時、既存の肩紐をそのまま活用できる肩紐掛止具を提供する。【解決手段】安全ピン１の一片に被膜８を施し、前記の覆膜８の外側中央部に突出した環９を附設し、開閉脱着可能な保持具７の蝶番４側に突出した環５を設けて、前記の環５と環９を架かり合わせて連結した構成の肩紐掛止具で、衣服Ｂに安全ピン１を取り付けた位置で保持具７に肩紐Ａを収納する構成と、環５と環９の絡みによって保持具７を左右へ移動可能となる作用によって安全ピン１と保持具７を二つ折り形態にできる構成の、前記の二通りの構成で肩紐Ａを収納する装着方法で、安全ピン１を衣服Ｂの肩裏に取り付ける位置が自由に選べる効果と、肩紐Ａを収納して閉鎖し保護する保持具７を自由に左右へ移動できる構成である。【選択図】図４
0003118549.tif 000002
【実用新案登録請求の範囲】
【請求項１】
保持板２を開閉脱着自在にした保持具７の蝶番４側に突出した環５を附設し、安全ピン１の一片に孔を施した筒状の覆膜８を附設し、前記の覆膜８の外側中央部に突出した環９を附設した、前記の環５と環９を架かり合わせて繋げて安全ピン１と保持具７を連結させた構造で、安全ピン１を衣服Ｂの両肩裏に装着し、保持具７の内側の空隙部６に着衣した肩紐Ａを収納して閉鎖して保護し、衣服Ｂと肩紐Ａを連結せしめることを特徴とする肩紐Ａを有した女性用下着の肩紐掛止具。
【請求項２】
環５と環９の連結部を安全ピン１と保持具７を連結した状態の儘で衣服Ｂに安全ピン１を取り付けた位置で、保持具７に肩紐Ａを収納して閉鎖し保護する構成の請求項１記載の肩紐掛止具。
【請求項３】
環５と環９の連結部で安全ピン１と保持具７を二つ折り形態の構成で、衣服Ｂに安全ピン１を取り付けた位置で、保持具７に肩紐Ａを収納して閉鎖し保護する構成の請求項１記載の肩紐掛止具。
【請求項４】
安全ピン１と保持具７を請求項２．請求項３記載の構成によって装着時に二通りの構成が可能となる、安全ピン１を衣服Ｂに取り付ける位置と、肩紐Ａを収納して閉鎖し保護する保持具７を自在に方向変換できる請求項１記載の構造を特徴とする肩紐Ａを有した女性用下着の肩紐掛止具。
【考案の詳細な説明】
【技術分野】
【０００１】本考案は、肩紐Ａを有する女性用下着のブラジャーやスリップ等を着衣した時、肩紐Ａを所定位置に安定可能に、更に多数の衣服Ｂに容易に装着、及び付け替え可能で経済的な装飾を携えた肩紐掛止具に関するものである。
【背景技術】
【０００２】従来の肩紐Ａを有する女性用下着のブラジャーやスリップ等の肩紐Ａは身頃が下に落ちないように両肩に掛けて着衣する。
【考案の開示】
【考案が解決しようとする課題】
【０００３】しかしながら、肩紐Ａは着衣中に滑り動いたり、肩から滑り落ちることがしばしばあり、特に撫で肩や肩幅の狭い体型の人達に多く発生しており、撫で肩の人は肩紐Ａの掛かる位置の傾斜が大きければ肩紐Ａは低い肩先に滑り動いたり、滑り落ち易く、肩幅の狭い人は肩紐Ａの掛かる範囲が狭いため肩先を超えて滑り落ち易く、もそもそして気持ちが悪く不快感を感受し、その都度肩紐Ａを肩に掛け直さなければならず不便である。
しかしながら、現代では様々なデザインのブラジャーが考案されているが、カップの脇側に肩紐Ａが取り付けられ、そのカップの脇側に補強材を取り入れてバストをより豊富に美しくバストアップさせて美しいバストラインを醸し出す傾向のブラジャーが数多く考案されている。
しかしながら、カップ部は自己に合ったバストサイズで自由に選べるが、肩紐Ａは自己の肩の体型に適した位置に取り付けてあれば問題ないが、ブラジャーを着衣した時バストサイズと肩の体型は大きく関係し、例えば、撫で肩の人、肩幅の狭い人、一方の肩が下がっている人もいれば、対照的にいかり肩の人、肩幅の広い人、肩先が上がっている人もおり、肩の体型も様々である。これらの様々な人達が自己に合ったカップサイズを着衣しても、肩紐Ａはカップ部の両脇に取り付けられている為、前記の撫で肩や肩幅の狭い人、一方の肩が下がっている人達は、好みのデザインとカップサイズが合致しても、肩紐Ａの取り付け位置が肩先側に寄れば滑り落ちが多く発生する原因になり、更に肩紐Ａの締め過ぎによって肩こりを発症する原因を誘引する等、肩紐Ａで不快感と不便を感受する人もあれば、同サイズのブラジャーを肩幅の広い人やいかり肩の人、肩先が上がっている人は肩紐Ａの掛かる範囲が広く、又肩先が上がっていれば滑り落ちが発生しない為、快適に着衣できる。しかし、前記の肩紐Ａの滑り易い人達は好みのブラジャーを着衣しても肩紐Ａの掛かり具合が原因で滑り動きや滑り落ちが生じれば、肩附近が絶えずもそもそして気持ちが悪くその都度肩紐Ａを肩に掛け直さなければならず不便であり、又、肩紐Ａを締め過ぎることによって肩こりを発症する等の不快感を感受し、更に衣服Ｂの布地やデザインによっては、肩紐Ａが衣服Ｂからはみ出したり、肩から落ちているのが外見から判ればお洒落感覚を減少させる欠点も生じる。
上述のような従来の技術によって不快感や不便、欠点を感受する体型の人達の課題を解決するためになされたものであり、その目的とするところは好みのデザインのブラジャーの肩紐Ａを所定位置に安定可能にすれば快適に着衣でき、しかも多数の衣服Ｂのデザインにも容易に装着可能な構造の安全ピン１と保持具７を自在に二つ折り形態にも成し得る図５の装着方法と図４の通常の装着方法の二通りの装着方法で課題を解決し、更に付け替え容易で経済的な、装飾を携えた肩紐掛止具を提供するものである。
現代では、ノースリーブ等の衣服Ｂを着衣した時、肩紐Ａが衣服Ｂからはみ出すため、透明のビニールテープ状の紐を活用しているが、ブラジャーの肩紐Ａが取り外せる構造に限って応用できる欠点と、前記のビニールテープの紐は伸び縮みの無いビニールテープである為、直接肌に密着させて使用すれば、擦り傷や痒み、汗を掻きやすい季節によっては汗疹や爛れが発症する欠点を解消するため、肩紐Ａを既存のままで使用でき、袖の無いノースリーブ等の衣服Ｂであっても肩紐Ａがはみ出すことなく、快適に着衣できる図５の二つ折り形態の構成で課題を解決できる。
【課題を解決するための手段】
【０００４】上記の目的を達成する為に、本考案における肩紐掛止具は安全ピン１の一片に孔を施した筒状の覆膜８を施し、前記の覆膜８の外側中央部に突出した環９を附設し、肩紐Ａを収納できる幅を有した保持板２と開閉脱着自在にする蝶番４を設けた保持具７の蝶番４側に突出した環５を附設した、前記の環５と環９を架かり合わせ繋げた保持具７の内側の空隙部６に肩紐Ａを収納し係止具３で閉鎖して保護し、更に環５と環９の架かり部で安全ピン１と保持具７を自在に二つ折り形態にも成し得る図５の形態で、肩パットの付いて無いＴシャツやノースリーブ等の肩裏の縫い代Ｃ部に安全ピン１を取り付ける構成の取り付け方法と、肩パットの付いている衣服Ｂや厚地の布地であれば、安全ピン１を取り付ける位置が非柔軟であるため固定し易い為図４と図５の取り付け方法が可能になり、よって衣服Ｂのデザインに合わせて対応できる二通りの取り付け方法で達成でき、安全ピン１を衣服Ｂの両肩裏に取り付けて固定し、肩紐Ａを保持具７に収納して閉鎖する操作をより容易に行える構成で連結させた肩紐掛止具で肩紐Ａを所定位置に安定させる。
図５の二つ折り形態であれば、肩幅の広い人、いかり肩の人、肩先が上がっている人達もノースリーブ等の衣服Ｂを着衣した時、身体の動きによって肩紐Ａが滑り動いてはみ出すため、現代では透明のビニールテープの紐を活用して見えないようにしているが、前記の透明のビニールテープは伸縮が無く、しかも肌に密着させて使用する構造であるため、身体の動きに添って伸び縮みしないため、体質によっては摩擦傷や湿疹、痒みを発症する欠点があり、特に汗を掻きやすい季節であれば、汗疹や爛れの症状を誘引する欠点が発生しており、これらの欠点もブラジャーに取り付けられている既存の肩紐Ａをそのまま使用できる本考案の肩紐掛止具で解消できる。
【考案の効果】
【０００５】本考案は上述の通りの構成と使用状態によって次のような効果を奏でる。
女性用下着のブラジャーやスリップ等を着衣した時に衣服Ｂの両肩裏に安全ピン１を取り付け、次に保持具７を開放し肩紐Ａを空隙部６に収納して係止具３で完全に閉鎖し保護すれば、身体が絶えず動いても肩紐Ａは空隙部６内で自由に通過できる為、装着中に肩紐Ａが外れる事無く違和感を感受せず、しかも衣服Ｂに安全ピン１を取り付けた位置で保持具７は、環５、環９、覆膜８の作用によって安全ピン１の一片内で自在に左右上下に移動、回動できる為図４の取り付け方法と、図５の二つ折り形態で取り付け得る方法の二通りの方法で肩紐Ａを収納可能となり、よって安全ピン１を衣服Ｂに取り付ける位置を確実に確保し易く、更に取り付け取り外しの操作が容易に行えると共に、保持具７に肩紐Ａを収納し閉鎖、及び開放する操作も容易に行える。つまり覆膜８、環９、環５の作用の効果によって保持具７と安全ピン１は繋がれた構造であっても、それぞれに単独の操作方法で行なえる利便性が発揮され、肩紐Ａは衣服Ｂに繋がれても衣服Ｂに拘束されない作用によって、双方が引き合うのを和らげる効果と衣服Ｂに安全ピン１を取り付け易く、又安全ピン１を衣服Ｂに取り付けた後に保持具７を開放、閉鎖の操作が容易に行え、収納した肩紐Ａは空隙部６の作用の効果によって自由に通過でき、係止具３で完全に閉鎖される為装着中に違和感を感受せず所定位置に安定させて滑り動きや滑り落ちを解決できる。
上述の如く、環５、環９、覆膜８のそれぞれの作用によって安全ピン１の開放閉鎖の操作方法は従来と何ら変わらず、保持具７は安全ピン１の一片より離れているため開き口が広く開放できる図３で、肩紐Ａを収納し易く、閉鎖し易い構造であるため単独操作方法で行なえる効果を発揮し、肩紐Ａの滑り動きや滑り落ちを解消可能にする本考案の肩紐掛止具は、一対の肩紐掛止具で多数の衣服Ｂに付け替えのできる経済的で、しかも自己の好みにあったブラジャーを快適に着衣できる楽しみを肩紐Ａの滑り落ち易い体型の女性達に提供できる。
現代では、既存の肩紐Ａの代わりに透明のビニールテープの紐を活用している女性達が数多く見受けられる。特に肩紐Ａが見え易くなりがちな袖の無いノースリーブ等を着衣している時に活用している場合が多い。しかしながら、肩紐Ａが取り外せる構造のブラジャーに限定される欠点と、肩紐Ａを付け替える費用と手間が掛かる欠点がある。更にビニールテープの紐は、身体が動いても伸び縮みしない素材である為摩擦傷や痒みや、汗を掻きやすい季節には汗疹や爛れの症状を誘引する欠点があり、上述の欠点も同時に解消できる本考案の肩紐掛具は既存の肩紐Ａをそのまま活用できる利点が発揮される効果と、肩紐Ａを衣服Ｂの下に収めて保護すれば滑り動きを止められ、よって肩紐Ａがはみ出すのを防止可能にすれば、新たに代用品の肩紐Ａを購入する費用も削減できる効果を発揮し経済的であり、更にこの活用方法は肩紐Ａが落ちにくい体型の肩幅の広い人、いかり肩の人、肩先が上がっている人達もノースリーブ等の衣服Ｂを着衣した時、身体の動きによって生じる肩紐Ａの滑り動きが抑制されて、衣服Ｂの下からはみ出すのを防止できる効果が発揮できる。保持具７の保持板２は板状を採用している為、様々な形状に加工し易く、又、絵画、動植物画、キャラクター画等の模様や色彩が施し易く、又装飾を兼ね備えた保持具７である為、例え外見から保持具７が見えてもアクセサリーとしても活用できる。
【考案を実施するための最良の形態】
【０００６】以下、本考案の実施の形態について説明する。
上述のように構成されているので、肩紐Ａを有する女性用下着のブラジャーやスリップ等を着衣した時、衣服Ｂに取り付けた安全ピン１に連結した保持具７に肩紐Ａを収納し保護すれば、撫で肩や肩幅の狭い人達も好みのブラジャーを着衣でき、又、肩紐Ａは身体の動きに添って移動する範囲を衣服Ｂと共に移動する範囲を制限し、更に空隙部６で身体の動きに添ってゴム状の肩紐Ａが任意に伸縮や前後に自由に通過すれば装着中に違和感や不快感を感受せず所定位置に安定させる。
更に、覆膜８は安全ピン１の一片内で自在に左右移動、回動でき、突出した環５と環９の絡みによって保持具７も自由に左右上下に移動可能な構造である為、安全ピン１と保持具７は環５と環９の架かりの作用によって、安全ピン１と保持具７の開閉の操作がそれぞれ単独操作で行なえると共に、図５のように二つ折り形態に重ね得る構造にできる。
つまり、衣服Ｂの布地の厚みやデザインに合わせて安全ピン１を取り付ける方向位置を自由に選べる形態が発揮される為、特に袖の無いノースリーブやＴシャツのような薄地の布地で肩パットの付いていないデザインであれば肩の縫い代Ｃに添って安全ピン１を取り付ける二つ折り形態の図５と、布地の厚い衣服Ｂや肩パットの付いているデザインに装着する場合は図４と図５の形態の二通りの取り付け方法で安全ピン１と保持具７を自由に自己の希望に添って方向転換させて取り付けることができる。
前記の形態であっても図２に開示しているとおり空隙部６内で肩紐Ａは自由に通過でき、安全ピン１の一片内で覆膜８が任意に左右移動、回動し突出した環５と環９の絡みがクッションの役目を果たす為、保持具７も自由に左右上下及び回動し移動すれば、衣服Ｂと肩紐Ａは身体が動けば環５と環９が作用し、穏やかにクッションの役目が果たし相互に引き合うのを和らげる構造で構成し、装着中に違和感を感受させず、肩紐Ａを所定位置に安定可能にしたものである。
【実施例】
【０００７】本考案の実施例を図面を参照しながら説明する。
保持板２を蝶番４で開閉自在に連設し、係止具３で係合し空隙部６を設けると共に蝶番４側に突出した環５を附設した構成の保持具７と、安全ピン１の一片に孔を施した筒状の覆膜８を施し、前記の覆膜８の外側中央部に突出した環９を附設した構成の、突出した環５と環９を絡ませて繋げ保持具７と安全ピン１を連結する。
１は安全ピンで、一片に孔を施した覆膜８を施し、前記の覆膜８の外側中央部に突出した環９を附設し保持具７の突出した環５と絡ませて繋げ保持具７と連結する。
２は保持板で、肩紐Ａの幅を収納できる長さを有し係止できる係止具３を有させ、一端に開閉させる蝶番４を連結させる。
この保持板２は硬質の素材であれば特に限定されるものではなく、また係止具３の構成は、掛け合わせや凸凹状のファスナーや磁石等で特に限定されるものではない。
４は蝶番で、保持板２の一端を軸で開閉可能に軸支状態に連結し開き口を大きくさせるものである。
５は環で、保持具７の蝶番４側に突出した環で構成し、環９と架かり合わせて繋げ安全ピン１と保持具７を連結するものである。
６は空隙部で、保持板２を閉鎖した時にゴム状の肩紐Ａが伸び縮みや前後に通過するのを容易にさせる所謂隙間で、肩紐Ａの厚みより広い内径を持たせた空隙部である。
７は保持具で、保持板２を連設させ、開閉脱着させる蝶番４と係止させる係止具３を構成し、空隙部６を施し、突出した環５を附設することで保持具７は形成される。
８は筒状の覆膜で、安全ピン１の一片に覆膜するもので、この形状は円形筒状の内側に孔を施し、前記の孔の内径は安全ピン１の一片の棒針の外径より大きく筒孔したその孔に安全ピン１の一片を覆い、ゆとりを持たせた孔の内径で覆膜が安全ピン１の一片内で任意に左右に移動、回動自在に構成する。
９は環で、覆膜８の外側中央部に突出した環で構成し、環５と架かり合わせて繋げ安全ピン１と保持具７を連結させるものである。
この肩紐掛止具を使用するには、衣服Ｂの肩裏側に安全ピン１を取り付け、次に保持具７の係止具３を開放し着衣したブラジャーやスリップ等の肩紐Ａを収納して前記の係止具３を係止させて閉鎖し衣服Ｂと肩紐Ａを連結して肩紐Ａを所定位置に安定させる。
覆膜８、環９、環５の絡み合わせでゆとりを有した構造で、保持具７と安全ピン１の一片との間隔を広げ前記のゆとりを利用すれば衣服Ｂに合わせて安全ピン１を衣服Ｂに取り付け、取り外し操作が容易に行え、更に取り付けの位置も自由に選べて、肩紐Ａは確実に収納し保護され所定位置に安定できる。
保持具７は板状を採用した構成であり、様々な絵画や色彩、形状が施し易い構造である。
【図面の簡単な説明】
【０００８】
【図１】本考案の実施例を示した斜視図である。
【図２】本考案の実施例を閉鎖した状態を示した斜視図である。
【図３】本考案の実施例の開放状態を示した斜視図である。
【図４】本考案の実施例の使用状態を示した斜視図である。
【図５】本考案の実施例の縫い代Ｃに二つ折り形態に装着した使用状態を示す斜視図である。
【符号の説明】
【０００９】１…安全ピン  ２…保持板    ３…係止具    ４…蝶番    ５…環  ６…空隙部
７…保持具    ８…覆膜      ９…環
Ａ…肩紐      Ｂ…衣服      Ｃ…縫い代
【図１】
0003118549.tif 000003
【図２】
0003118549.tif 000004
【図３】
0003118549.tif 000005
【図４】
0003118549.tif 000006
【図５】
0003118549.tif 000007